(57)【要約】      （修正有）【課題】簡単な構造で荷物の積み降ろしの利便性が向上するデッキ装置を提供する。【解決手段】車両１の荷室のバックドア等の後部よりのフロアにデッキ装置１０を搭載する。デッキ装置１０はフロアの左右に対向して固定する一対のレール部材１１を有し、レール部材１１は対向面に凹部状のレール溝部を有し、この両側の溝部間にスライド自在に装着されたスライドデッキ１２を有する。スライドデッキ１２はレール部材１１から後方に引き出し荷室の外側に移動させた状態およびレール部材１１の前方側に移動させた状態の、前方側と後方側の両方に突出移動可能である。【選択図】図１
2018075943.tif 000002
【特許請求の範囲】
【請求項１】
レール部材と、当該レール部材に装着したスライド自在のスライドデッキとを備え、前記スライドデッキは前記レール部材の前方側と後方側の両方に突出移動可能であることを特徴とするデッキ装置。
【請求項２】
前記スライドデッキと前記レール部材との間にスライド自在のスライダーを有し、前記スライドデッキは前記スライダーに当接するストッパーを当該スライドデッキの前端側と後端側に有し、前記レール部材は前記スライダーが抜け出すのを規制する規制部を当該レール部材の前端側と後端側に有することを特徴とする請求項１記載のデッキ装置。
【請求項３】
前記レール部材はベースデッキの左右両側に対向して一対設けてあり、前記一対のレール部材間に前記スライドデッキを装着してあることを特徴とする請求項１又は２記載のデッキ装置。
【発明の詳細な説明】
【技術分野】
【０００１】
本発明は、車両の荷室等に設けられるデッキ装置に関する。
【背景技術】
【０００２】
車両の後部に設けられた荷室に荷物を積み降ろしする際の利便性を高める目的でバックドアを開き、デッキ部材（フロアボード）を後方に引き出す構造が、例えば特許文献１〜３に開示されている。
しかし、いずれも手前に積んだ荷物を奥側（車両前方側）に積み換えしなければならなかったり、搭載には車両の構造を変えなければならないものであった。
【先行技術文献】
【特許文献】
【０００３】
【特許文献１】特許第４０６９５０２号公報
【特許文献２】特開２００７−３０６６６号公報
【特許文献３】実開昭６１−３８２４２号公報
【発明の概要】
【発明が解決しようとする課題】
【０００４】
本発明は、簡単な構造で荷物の積み降ろしの利便性が向上するデッキ装置の提供を目的とする。
【課題を解決するための手段】
【０００５】
本発明に係るデッキ装置は、レール部材と、当該レール部材に装着したスライド自在のスライドデッキとを備え、前記スライドデッキは前記レール部材の前方側と後方側の両方に突出移動可能であることを特徴とする。
【０００６】
ここでスライドデッキは、車両の荷室のフロアに沿って車両の前後方向にスライドできるものをいい、レール部材はこのスライドデッキをスライド自在に保持する部材をいう。
本明細書で前方とは、車両の後部にデッキ装置を搭載した状態で車両の前方側に位置するものとして表現する。
【０００７】
本発明は、レール部材を車両のフロア側に固定し、レール部材にスライド自在に装着したスライドデッキを後方に引き出し、このスライドデッキに荷物を積み、そのままレール部材の前方側にこのスライドデッキを移動させることができる構造であれば、その構造に制限はない。
例えば、スライドデッキと前記レール部材との間にスライド自在のスライダーを有し、前記スライドデッキは前記スライダーに当接するストッパーを当該スライドデッキの前端側と後端側に有し、前記レール部材は前記スライダーが抜け出すのを規制する規制部を当該レール部材の前端側と後端側に有する例が挙げられる。
【０００８】
車両へのレール部材の取付方法に制限はないが、例えばレール部材はベースデッキの左右両側に対向して一対設けてあり、前記一対のレール部材間に前記スライドデッキを装着してあってもよい。
このようにすると、簡単な構造でありながら強度及び剛性を確保しやすい。
【発明の効果】
【０００９】
本発明に係るデッキ装置は、スライドデッキをレール部材の後方側と前方側の両方に移動できるので、スライドデッキを荷室の後方に引き出し、荷物を積み、そのままスライドデッキを荷室の奥側に移動させることができる。
【図面の簡単な説明】
【００１０】
【図１】車両に搭載した本発明に係るデッキ装置の動きを示す。（ａ）はスライドデッキの定位置、（ｂ）はスライドデッキを後方に引き出した状態、（ｃ）はスライドデッキをレール部材よりも前方に移動させた状態を示す。
【図２】（ａ）はスライドデッキが定位置にある場合、（ｂ）はスライドデッキを手前（後方）に引き出した状態を示す。
【図３】スライドデッキを奥側に移動させた状態を示す。
【図４】（ａ）は図２に示したＡ−Ａ線断面図を示し、（ｂ），（ｃ）はスライドデッキをレール部材の前後に移動させた状態を示す。
【図５】（ａ）はスライドデッキを取り外した状態を示す。（ｂ）は部分拡大図を示す。
【図６】スライドデッキ及びスライダーを示す。
【図７】スライドデッキとレール部材との関係をスライドデッキの裏面側から見た状態を示し、（ａ）はスライドデッキの移動途中、（ｂ）は規制部にスライダーが当たり、このスライダーとストッパーとが当接した状態を示す。
【発明を実施するための形態】
【００１１】
本発明に係るデッキ装置の構造例を以下、図面に基づいて説明する。
図１は、デッキ装置１０の動きを示す。
車両１の荷室のバックドア等の後部よりのフロアに、デッキ装置１０を搭載した例である。
図１（ａ）は定位置状態を示し、（ｂ）はスライドデッキ１２をレール部材１１から後方（手前）に引き出し、荷室の外側に移動突出させた状態を示す。
図１（ｃ）は、スライドデッキ１２をレール部材１１の前方側に移動させた状態を示す。
【００１２】
デッキ装置１０の外観図を図２，３に示す。
車両のフロアの左右に対向して固定する一対のレール部材１１ａ，１１ｂを有する。
レール部材１１ａ，１１ｂは、対向面に凹部状のレール溝部を有し、この両側の溝部間にスライド自在に装着されたスライドデッキ１２を有する。
本実施例に係るスライドデッキ１２は、パネル部材１２ａの左右両側にスライドレール部１２ｂ，１２ｂを取り付けてあり、スライドレール部１２ｂの前端側と後端側にそれぞれストッパー１２ｃを有する。
【００１３】
レール部材１１ａ，１１ｂのレール溝部と、スライドデッキ１２の両側のスライドレール１２ｂとの間には、図４，６，７に示すようにこのスライドレール１２ｂを上下でくわえ込むようにスライダー１５を取り付けてある。
スライダー１５は、摺動しやすい樹脂製が好ましく、金属材を芯材にしてもよい。
レール部材１１ａ，１１ｂの前端側と後端側とには、例えば図５に示すように規制部１４を設け、このスライダー１５が抜け出さないようにしてある。
この規制部１４は、レール溝部に一体的に形成してもよく、別部材を取り付けてもよい。
規制部１４は、スライドデッキの前後端部に設けたストッパー１２ｃは通過できるが、スライダー１５とは干渉し、スライダー１５が外に抜け出さない構造になっている。
これに対してスライドデッキのストッパー１２ｃは、スライダー１５と干渉し、スライダー１５がレール部材の規制部１４に当たり移動できなくなると、このスライダー１５にスライドデッキのストッパー１２が当接し、それ以上の移動が規制されることになる。
【００１４】
その位置関係をスライドデッキ１２と、レール部材１１ｂとを裏側から見た図７に示す。
図７（ａ）に示すようにスライドデッキ１２をレール部材１１ｂから引き出すと、スライダー１５が規制部１４に当たり抜け出せないが、スライドデッキ１２のスライドレール部１２ｂは、このスライダー１５に摺接しながら移動する。
または、先にスライダー１５が規制部１４に当たり、その後にストッパー１２ｃがスライダー１５に当たる。
図７（ｂ）に示すようにスライダー１５が規制部１４に規制され、スライダー１５がスライドデッキ１２に固定したストッパー１２ｃに当たると、それ以上スライドデッキ１２が移動できなくなる。
スライダー１５の形状例を図６に示す。
また、このストッパー１２ｃは、規制の位置が調整できるようにスライドレールの途中に取り付けてもよい。
【００１５】
これにより図２〜４に示すように、スライドデッキ１２をレール部材１１ａ，１１ｂの前方に引き出すことも後方に押し出すこともできる。
【００１６】
本実施例では、左右一対のレール部材１１ａ，１１ｂは、レール溝部を上下２段に形成し、下段側のレール溝部にベースデッキ１３を装置し、このベースデッキ１３も後方に引き出し可能にした例であり、図５に示すように２つのパネル１３ａ，１３ｂをヒンジ部１３ｃにて回動自在に連結することで、引き出した後に後方手前側のパネル１３ａを下側に回動できるようになっている。
このベースデッキ１３は無くてもよく、また左右のレール部材１１ａ，１１ｂをこのベースデッキ１３に連結した構造であってもよい。
レール部材１１ａ，１１ｂは、ブラケットａ，ｂにてフロアに固定できる。
【００１７】
本発明に係るデッキ装置は、多くの車両に車体の改造をすることなく、容易に取り付けることができる。
左右のレール部材にて、スライドデッキを車両フロアと並行に取り付けることができるので、部品点数が少なく、強度，剛性を確保しやすい。
【符号の説明】
【００１８】
１０      デッキ装置
１１      レール部材
１１ａ    レール部材
１２      スライドデッキ
１２ｃ    ストッパー
１３      ベースデッキ
１４      規制部
１５      スライダー
【図１】
2018075943.tif 000003
【図２】
2018075943.tif 000004
【図３】
2018075943.tif 000005
【図４】
2018075943.tif 000006
【図５】
2018075943.tif 000007
【図６】
2018075943.tif 000008
【図７】
2018075943.tif 000009